(57)【要約】【課題】正規のキーで盗難された車両において盗難を妨害することが可能な車両盗難監視システムを提供すること。【解決手段】キーのＩＤコードを要求するリクエスト電波を、車両から所定距離内にサイクル時間毎に送信する車両側装置５０と、駐車場に配置されたホーム側装置６０とを有し、駐車中の車両３０が盗難されたことを検知する車両監視システム１００において、ホーム側装置６０は、リクエスト電波が受信されているか否かを判定する判定手段３２と、判定手段３２がリクエスト電波を受信されていないと判定すると、盗難検知信号を車両側装置５０に送信する盗難検知信号送信手段３３と、を有し、車両側装置５０は、盗難検知信号を受信すると警報装置１１を作動させる警報作動手段３１、を有する、ことを特徴とする。【選択図】図１
2010042754.tif 000002
【特許請求の範囲】
【請求項１】
キーのＩＤコードを要求するリクエスト電波を、車両から所定距離内にサイクル時間毎に送信する車両側装置と、駐車場に配置されたホーム側装置とを有し、駐車中の車両が盗難されたことを検知する車両監視システムにおいて、
前記ホーム側装置は、
前記リクエスト電波が受信されているか否かを判定する判定手段と、
前記判定手段が前記リクエスト電波を受信されていないと判定すると、盗難検知信号を前記車両側装置に送信する盗難検知信号送信手段と、を有し、
前記車両側装置は、
前記盗難検知信号を受信すると警報装置を作動させる警報作動手段、を有する、
ことを特徴とする車両監視システム。
【発明の詳細な説明】
【技術分野】
【０００１】
本発明は、車両の盗難を検出する車両監視システムに関し、特に、正規のキーで解錠されても盗難を検出できる車両監視システムに関する。
【背景技術】
【０００２】
車両の盗難防止のため、例えば、ドアロックの解除、ドアの開閉、ガラスの破壊、車室内への侵入、ジャッキアップによる傾斜、車体に生じる振動、等の賊行為から盗難を検出していた。このような賊行為は、正規のキーを用いていないことが前提になっている。このため、泥棒が正規のキーを用いて車両を持ち去る盗難が想定されておらず、泥棒が正規のキーを入手して車両を持ち去った場合に、盗難の検知が遅れるという問題があった。
【０００３】
この点について、駐車場に通信装置を備え、車両から監視信号が受信できなくなった場合に、監視対象の車両が持ち去られたことを検知して外部に通報する車両監視装置が考えられている（例えば、特許文献1参照。）。
【特許文献１】特開２００６−２５６４６７号公報
【発明の開示】
【発明が解決しようとする課題】
【０００４】
しかしながら、特許文献１記載の車両監視装置は、駐車場において車両の盗難を検出することができるが、盗難された車両を取り返すための手段が講じられていないという問題がある。
【０００５】
本発明は、上記課題に鑑み、正規のキーで盗難された車両において盗難を妨害することが可能な車両盗難監視システムを提供することを目的とする。
【課題を解決するための手段】
【０００６】
上記課題に鑑み、本発明は、キーのＩＤコードを要求するリクエスト電波を、車両から所定距離内にサイクル時間毎に送信する車両側装置と、駐車場に配置されたホーム側装置とを有し、駐車中の車両が盗難されたことを検知する車両監視システムにおいて、ホーム側装置は、リクエスト電波が受信されているか否かを判定する判定手段と、判定手段が前記リクエスト電波を受信されていないと判定すると、盗難検知信号を前記車両側装置に送信する盗難検知信号送信手段と、を有し、車両側装置は、盗難検知信号を受信すると警報装置を作動させる警報作動手段、を有する、ことを特徴とする。
【発明の効果】
【０００７】
正規のキーで盗難された車両において盗難を妨害することが可能な車両盗難監視システムを提供することができる。
【発明を実施するための最良の形態】
【０００８】
以下、本発明を実施するために最良の形態について、図面を参照しながら説明する。
図1は、車両盗難監視システム１００の概略構成図の一例を示す。車両盗難監視システム１００は、車載された車両側装置５０と駐車場に配置されたホーム側装置６０とが通信することで実現される。
【０００９】
車両側装置５０は車両制御装置１２により制御され、車両制御装置１２は警報装置１１、ＲＦ受信アンテナ１４、及び、バンパアンテナ１３と接続されている。ホーム側装置６０は、ホーム側制御装置２３により制御され、ホーム側制御装置２３はＬＦ受信アンテナ２１、ＲＦ送受信アンテナ２２、及び、警報装置２４と接続されている。
【００１０】
車両３０の駐車中、車両側装置５０はサイクル時間毎にホーム側装置６０に電波を送信しており、ホーム側装置６０が車両側装置５０から電波を受信できなくなった場合、ホーム側装置６０は車両３０が盗難されたことを検出する。盗難されたことを検出すると、ホーム側装置６０は車両側装置５０に盗難されたことを示す盗難検知信号を送信する。これにより、車両側装置５０は、正規のキーで解錠されていても車両３０が盗難中であることを検出でき、警報音を吹鳴したり前照灯や室内灯を点灯するなど、泥棒を威嚇しまた周囲に注意喚起することができる。
【００１１】
〔車両側装置５０〕
車両側装置５０は、バンパアンテナ１３からサイクル時間毎にホーム側装置６０にリクエスト電波を送信する。このリクエスト電波は、キーレスエントリーシステムにおいて近くに存在するキーレスエントリーキー（以下、単にキーという）に応答を要求するものである。予め車両３０に搭載されたキーレスエントリーシステムが送信するリクエスト電波を利用することで、コスト増を抑制できる。
【００１２】
リクエスト電波は、例えば車両３０の識別コード（以下、ビークルコードという）で変調されているなど、車両３０を一意に識別する情報を含んでいる。このため、キー側は、少なくともリクエスト電波を送信している車両３０を識別できるようになっている。リクエスト電波は、例えば１３４ｋHzの周波数であるが、周波数を限定するものではない。また、キーレスエントリーシステムのリクエスト電波を利用せずに独自の電波をサイクル時間毎に送信してもよい。
【００１３】
図では、リクエスト電波を車両３０の前部又は後部のバンパアンテナ１３から送信するとしたが、ドアハンドルなど車両３０の側方からもリクエスト電波の送信が可能となっており、バンパアンテナ１３又はドアハンドルのアンテナから所定距離内（例えば、５０ｃｍ〜２ｍ程度）にキーが接近すると、キーがリクエスト電波を受信可能となる。
【００１４】
警報装置１１は、車外及び車内の少なくとも一方に警報音を吹鳴することで、泥棒を威嚇しまた周囲に注意喚起する。例えば、予め記憶した電子音を大音量で再生することで泥棒を威嚇し、周囲に、車両３０に異常が生じていることを注意喚起する。また、室内灯を点滅したり、前照灯をフラッシュするなど光により威嚇及び注意喚起してもよし、いわゆるパニック機能（サイレン音の吹鳴、ハザードランプの点灯）を作動させてもよい。警報装置１１は、例えば３０秒程度警報音を吹鳴すると３０秒程度警報音の吹鳴を中断するなどを繰り返す。本実施形態の警報装置１１は、賊行為の最中だけでなく車両３０が盗難された後に泥棒を威嚇し周囲に注意喚起できることが好ましいので、さらにランダムに警報音の再生と中断を繰り返すなど、バッテリー切れを防止しながら長期間にわたって警報音を吹鳴可能となっている。
【００１５】
なお、このような威嚇及び注意喚起だけでなく、車両３０の現在位置をホーム側装置６０又はセキュリティ管理会社に送信してもよい。このため車両３０にはＧＰＳ（Global  Positioning  System）が搭載されており、定期的に車両３０の位置を検出している。
【００１６】
また、車両制御装置１２は、通信装置を備えており、ＲＦ受信アンテナ１４を介してホーム側装置６０と通信が可能になっている。この通信装置により、オンデマンドに車両側装置５０又はホーム側装置６０の一方から他方に任意のタイミングで通信することができる。車両制御装置１２の通信装置は、例えば、携帯電話の基地局又は無線ＬＡＮにアクセスし、通信網を介してインターネットなどのネットワークに接続することができる。したがって、リクエスト電波と異なり、ホーム側装置６０と離れても基地局などのインフラが整った地域であれば、車両側装置５０とホーム側装置６０とが互いに通信することができる。なお、車両制御装置１２は、ホーム側装置６０のＩＰアドレスや電話番号などによりホーム側装置６０を指定できる。
【００１７】
車両制御装置１２は、ＣＰＵ、ＲＡＭ、ＲＯＭ、入出力インターフェイス及びＡＳＩＣ(Application  Specific  Integrated  Circuit)等を備えたコンピュータを実体とし、例えば、照合ＥＣＵ（electronic  control  unit）が兼用することができる。
【００１８】
車両制御装置１２は、ＣＰＵがプログラムを実行するか又はＡＳＩＣにより実現される警報作動手段３１を有する。警報作動手段３１は、ホーム側装置６０から警報検知信号を受信すると、予め定めた態様で警報装置１１を作動させる。
【００１９】
〔ホーム側装置６０〕
続いて、ホーム側装置６０について説明する。ホーム側装置６０は、車両３０のオーナーの駐車場、契約駐車場又は時間貸し駐車場等、定常的に車両３０を駐車する箇所に設けられる。ホーム側装置６０のうち、ＬＦ受信アンテナ２１以外は、室内や駐車場の地下など車両（駐車場）３０から離間した位置に設けることができる。
【００２０】
ＬＦ受信アンテナ２１は、車両側装置５０が送信するリクエスト電波を受信するアンテナである。図２は、ＬＦ受信アンテナ２１と車両３０との配置を模式的に説明する図の一例である。ＬＦ受信アンテナ２１は、リクエスト電波の到達範囲に配置され、バンパアンテナ１３から送信されるリクエスト電波を受信するのであれば、例えば、輪留め、バンパに対向する駐車場の短手方向の面、又は、該面よりの地下等に配置される。
【００２１】
図示するように、リクエスト電波の到達範囲はそれほど広くないが、駐車位置が若干ずれたくらいでは影響なくＬＦ受信アンテナ２１がリクエスト電波を受信できる。一方、車両３０が盗難され駐車場から持ち去られると、ＬＦ受信アンテナ２１はリクエスト電波を受信不能となる。図では、バンパアンテナ１３から受信する態様でＬＦ受信アンテナ２１を配置しているが、ドアハンドル等、車両３０の側面からリクエスト電波を受信する場合、駐車場の長手方向の面、地下等にＬＦ受信アンテナ２１を配置する。
【００２２】
なお、キーがリクエスト電波の到達範囲に存在する場合、リクエスト電波から電力を生成して、その電力を使用してＩＣメモリ内のキーＩＤを含んだトランスポンダ電波を車両側装置５０に向けて送信する。これにより、車両側装置５０がドアロック解除の準備状態となり、ユーザがドアハンドルに触れるなどするとドアロックが解除され、リクエスト電波の送信も停止される。本実施形態では、ホーム側装置６０がトランスポンダ電波を送信しても、ドアロック解除の準備状態となる必要はないので車両側装置５０は特に何もしない。
【００２３】
ホーム側装置６０は、ＣＰＵ、ＲＡＭ、ＲＯＭ、ハードディスクドライブ、入出力インターフェイス及びＡＳＩＣ等を備えたコンピュータを実体とする。ホーム側制御装置２３は、ＣＰＵがプログラムを実行するか又はＡＳＩＣにより実現される、判定手段３２、盗難検知信号送信手段３３及び警報作動手段３４を有する。
【００２４】
ホーム側装置６０はサイクル時間毎にリクエスト電波を受信しており、判定手段３２はリクエスト電波が含むビークルコードが、予め記憶しているものと一致するか否かを判定し、一致する場合にリクエスト電波を受信できたと判定する。
【００２５】
予め定めた所定時間（以下、盗難検出時間という）が経過してもリクエスト電波が受信できなかった場合、又は、ビークルコードが一致しなかった場合、判定手段３２は車両３０が盗難されたことを検出する。盗難検出時間は、サイクル時間よりも長い時間、例えば、サイクル時間の数倍とすることで、継続してリクエスト電波が受信できない場合に、車両３０の盗難を検出する。また、盗難検出時間を最小限（例えば、最大で１分〜１０分）に留めることで、車両３０の盗難を早期に検出できる。
【００２６】
リクエスト電波が受信できなくなる場合とは、例えば次のような場合である。
１）正規のキーが泥棒に盗難されて、ドアロックが解除されリクエスト電波の発信が停止した場合。この場合、車両３０が持ち去られなくてもリクエスト電波の発信は停止する。
２）レッカー移動などで車両３０が駐車場から移動して、ホーム側装置６０がリクエスト電波を受信できなくなった場合。
【００２７】
ところで、車両３０のオーナーが正規のキーを用いて車両３０のドアロックを解錠した場合であっても、ホーム側装置６０はリクエスト電波を受信できなくなると、車両３０の盗難を検出してしまう。このため、オーナーが車両３０のドアロックを解除する場合、予めホーム側装置６０のスイッチをオフにしておく。スイッチのオンによりホーム側装置６０は警戒状態となり、判定手段３２は警戒状態でのみ盗難を検出する。したがって、ホーム側装置６０のスイッチをオフにすることで警戒状態を解除し、オーナーが車両３０のドアロックを解錠しても警報装置１１が作動することを回避できる。
【００２８】
スイッチのオフは家の中のみで可能とすることで、泥棒が操作することを禁止できる。また、家の施錠と連動してホーム側装置６０のスイッチをオフにしてもよい。時間貸しの駐車場の車両３０のドアロックを解錠する場合、駐車時にオーナーが受け取ったチケットやICカードを課金装置等にかざしたり、料金を支払うことでスイッチをオフにすることができる。
【００２９】
また、オーナが車両３０を運転して駐車場に戻ってきて車両３０のドアをロックするとリクエスト電波がサイクル時間毎に送信されるので、リクエスト電波が受信されるようになるとホーム側装置６０は自動的に（オーナが操作しなくても）警戒状態に遷移する。したがって、オーナがホーム側装置６０をスイッチをオンにすることを忘れたりして警戒状態に遷移することが遅れることなく、盗難を検出することできる。
【００３０】
ホーム側装置６０の警報装置２４は、車両側装置５０の警報装置１１と同様に、車両３０が盗難されると警報音を吹鳴することで、主に車両３０のオーナー、駐車場の管理人等に異常を通知する。判定手段３２が、車両３０が盗難されたことを検出すると、警報作動手段３４は警報装置２４を作動させる。例えば、予め記憶した電子音を再生してもよいし、「車両が盗難されたおそれがあります」等のメッセージを発信してもよい。また、車両３０のオーナーの例えば携帯電話又はセキュリティ管理会社に、車両３０が盗難された旨を通知する電子メールを送信してもよい。
【００３１】
ホーム側装置６０は、車両側装置５０と同様に通信装置を備えており、ＲＦ送受信アンテナ２２を介して車両側装置５０と通信が可能になっている。すなわち、基地局や無線LANのアクセスポイントにアクセスし、ネットワークを介して車両３０に最寄りの基地局や無線LANから車両側装置５０と通信する。ホーム側装置６０、車両側装置５０に一意の電話番号等で車両側装置５０を指定することができる。
【００３２】
判定手段３２が車両３０の盗難を検出すると、盗難検知信号送信手段３３はRF送受信アンテナ２２を用いて車両３０に盗難検知信号を送信する。車両側装置５０は盗難検知信号を受信すると、予め定められた態様で警報装置１１を作動させる。
【００３３】
なお、図ではホーム側装置６０はＲＦ送受信アンテナ２２により車両側装置５０と通信するとしたが、ホーム側装置６０が固定されている場合、有線でインターネットなどのネットワークに接続してもよい。
【００３４】
〔車両盗難監視システムの動作手順〕
図３は、車両盗難監視システムが盗難を検出する手順を示すフローチャート図の一例である。図３のフローチャート図は、例えば、ホーム側装置６０が通電されるとスタートする。
【００３５】
車両３０のオーナーが車両３０をドアロックすると、車両制御装置１２はサイクル時間毎にリクエスト電波を送信する（Ｓ１０）。
【００３６】
また、ホーム側装置６０は、警戒状態であるか否かを判定する（Ｓ２０）。警戒状態でない場合（Ｓ２０のＮｏ）、車両３０のオーナーが正規のキーでドアロックを解除したと考えてよいので、そのままリクエスト電波の受信の有無に関係なく処理を終了する。
【００３７】
警戒状態の場合（Ｓ２０Ｙｅｓ）、判定手段３２はリクエスト電波を受信している否かを判定する（Ｓ３０）。正しいビークルコードを含むリクエスト電波を受信している間は（Ｓ３０のＹｅｓ）、車両３０は盗難されていないのでステップＳ２０とＳ３０の判定を繰り返す。
【００３８】
盗難検出時間以上、リクエスト電波を受信できていない又はビークルコードが異なっていると判定手段３２が判定すると（Ｓ３０のＹｅｓ）、警報作動手段３４が、ホーム側装置６０の警報装置２４を作動させる（Ｓ４０）。これにより、駐車場のオーナー又は駐車場の管理人は、車両３０が盗難されたことを早期に把握することができる。
【００３９】
ついで、盗難検知信号送信手段３３は、ＲＦ送受信アンテナ２２を介して車両側装置５０に盗難検知信号を送信する（Ｓ５０）。
【００４０】
盗難検知信号を受信した車両側装置５０の警報作動手段３１は、警報装置１１を作動させる（Ｓ６０）。これにより車両側装置５０の警報装置１１は、警報音を吹鳴するなど泥棒を威嚇し周囲を注意喚起することができる。
【００４１】
以上説明したように、本実施形態の車両盗難監視システム１００は、正規のキーやレッカー移動により車両３０が盗難されてもそれを検知し車両側装置５０に盗難検知信号を送信するので、車両側装置５０が警報音を吹鳴するなど泥棒を威嚇し周囲に注意喚起することができる。
【図面の簡単な説明】
【００４２】
【図１】車両盗難監視システムの概略構成図の一例である。
【図２】ＬＦ受信アンテナと車両との配置を模式的に説明する図の一例である。
【図３】車両盗難監視システムが盗難を検出する手順を示すフローチャート図の一例である。
【符号の説明】
【００４３】
１１、２４  警報装置
１２        車両制御装置
１３        バンパアンテナ
１４        ＲＦ受信アンテナ
２１        ＬＦ受信アンテナ
２２        ＲＦ送受信アンテナ
２３        ホーム側制御装置
３０        車両
５０        車両側装置
６０        ホーム側装置
１００      車両盗難監視システム
【図１】
2010042754.tif 000003
【図２】
2010042754.tif 000004
【図３】
2010042754.tif 000005